(57)【要約】【課題】防塵性能および防水性能を確保しつつ、設置工事の作業性を向上させることのできる電子機器を提供する。【解決手段】電子機器は、本体と、前記本体に取り付けられるべき前面カバーと、前記本体と前記前面カバーとの間をシールするシール部材とを備え、前記本体および前記前面カバーの少なくともいずれか一方は、上下方向における端部である対象端部に設けられた突起部を含み、前記突起部は、前記前面カバーが前記本体に取り付けられた状態において、自己が設けられていない前記本体または前記前面カバーと当接することにより、前記前面カバーが前記本体から離れる方向へ移動することを抑止する。【選択図】図１１
2019102516.tif 000002
【特許請求の範囲】
【請求項１】
本体と、
前記本体に取り付けられるべき前面カバーと、
前記本体と前記前面カバーとの間をシールするシール部材とを備え、
前記本体および前記前面カバーの少なくともいずれか一方は、上下方向における端部である対象端部に設けられた突起部を含み、
前記突起部は、前記前面カバーが前記本体に取り付けられた状態において、自己が設けられていない前記本体または前記前面カバーと当接することにより、前記前面カバーが前記本体から離れる方向へ移動することを抑止する、電子機器。
【請求項２】
前記突起部は、Ｕ字型の形状を有する、請求項１に記載の電子機器。
【請求項３】
前記前面カバーは、前記突起部を含む、請求項１または請求項２に記載の電子機器。
【請求項４】
前記本体および前記前面カバーは、前記突起部を含み、
前記前面カバーには、前記前面カバーが前記本体に取り付けられた状態において、前記本体における前記突起部が嵌合可能な溝が形成されている、請求項１から請求項３のいずれか１項に記載の電子機器。
【請求項５】
前記溝は、前記前面カバーにおける前記突起部の厚み部分に形成されており、前記前面カバーの前面側において傾斜を有する、請求項４に記載の電子機器。
【請求項６】
前記電子機器は、さらに、
複数の板状の部材が一体化した形状を有する冶具を備え、
前記複数の板状の部材は、延在方向が互いに異なる、請求項１から請求項５のいずれか１項に記載の電子機器。
【発明の詳細な説明】
【技術分野】
【０００１】
本発明は、電子機器に関する。
【背景技術】
【０００２】
従来、太陽光発電または蓄電に用いられるＰＣＳ（Ｐｏｗｅｒ  Ｃｏｎｄｉｔｉｏｎｉｎｇ  Ｓｙｓｔｅｍ）等の電子機器に関する技術が開発されている。たとえば、特許文献１（特開２０１６−６３７２２号公報）には、ＰＣＳと、当該ＰＣＳに接続された蓄電池または燃料電池等の電源装置とを備える電力供給システムが開示されている。
【０００３】
すなわち、特許文献１に記載の電力供給システムは、電力供給装置から供給される直流電力を交流電力に変換して交流電力系統に連系させるパワーコンディショナと、前記交流電力系統と前記パワーコンディショナとを繋ぐ電路の電力を計測する計測部、及び前記計測部を動作させるために必要な電力を当該計測部に与える電源部を有する計測装置とを備える。前記パワーコンディショナは、当該パワーコンディショナを制御するために必要な直流電力を出力する制御電源部を備え、前記電源部は、前記制御電源部が出力する直流電力を取得して前記計測部を動作させるために必要な電力を生成する。
【先行技術文献】
【非特許文献】
【０００４】
【特許文献１】特開２０１６−６３７２２号公報
【発明の概要】
【発明が解決しようとする課題】
【０００５】
このような電子機器の設置工事では、たとえば、ケーブルの配線作業のために本体の前面カバーを取り外し、作業後に本体に対して前面カバーを取り付ける。また、電子機器は、屋外に設置されることがあり、本体内部に設けられている電子部品の保護のために十分な防塵性能および防水性能が求められるため、前面カバーと本体との間にシール部材が設けられている。
【０００６】
また、電子機器では、防塵性能および防水性能を高めるため、シール部材を介して本体に対して前面カバーを固定するためのネジの本数を増やすことが考えられる。しかしながら、この場合、ネジの本数の増加により設置工事の作業性が低下するという問題がある。
【０００７】
この発明は、上述の課題を解決するためになされたもので、その目的は、防塵性能および防水性能を確保しつつ、設置工事の作業性を向上させることのできる電子機器を提供することである。
【課題を解決するための手段】
【０００８】
（１）上記課題を解決するために、この発明のある局面に係る電子機器は、本体と、前記本体に取り付けられるべき前面カバーと、前記本体と前記前面カバーとの間をシールするシール部材とを備え、前記本体および前記前面カバーの少なくともいずれか一方は、上下方向における端部である対象端部に設けられた突起部を含み、前記突起部は、前記前面カバーが前記本体に取り付けられた状態において、自己が設けられていない前記本体または前記前面カバーと当接することにより、前記前面カバーが前記本体から離れる方向へ移動することを抑止する。
【発明の効果】
【０００９】
本発明によれば、防塵性能および防水性能を確保しつつ、設置工事の作業性を向上させることができる。
【図面の簡単な説明】
【００１０】
【図１】図１は、本発明の第１の実施の形態に係る電子機器の構成を示す図である。
【図２】図２は、本発明の第１の実施の形態に係る電子機器の構成を示す分解図である。
【図３】図３は、図２に示すＩＩＩ−ＩＩＩ線に沿った断面を示す断面図である。
【図４】図４は、本発明の第１の実施の形態に係る電子機器における本体および前面カバーの上側部分の構成を示すための図である。
【図５】図５は、図４に示す円Ａ１により囲まれた部分の拡大図である。
【図６】図６は、図５に示すＶＩ−ＶＩ線に沿った断面を示す断面図である。
【図７】図７は、本発明の第１の実施の形態に係る前面カバーの本体に対する取り付け過程を説明するための図である。
【図８】図８は、本発明の第１の実施の形態に係る前面カバーを本体に取り付けた状態を示す図である。
【図９】図９は、本発明の第１の実施の形態に係る電子機器における本体および前面カバーの下側部分の構成を示すための図である。
【図１０】図１０は、図９に示す円Ａ２により囲まれた部分の拡大図である。
【図１１】図１１は、図１０に示すＸＩ−ＸＩ線に沿った断面を示す断面図である。
【図１２】図１２は、本発明の第１の実施の形態に係る前面カバーの本体に対する取り付け過程を説明するための図である。
【図１３】図１３は、本発明の第１の実施の形態に係る前面カバーを本体に取り付けた状態を示す図である。
【図１４】図１４は、本発明の第１の実施の形態に係る前面カバーが本体に取り付けられた状態を示す拡大図である。
【図１５】図１５は、本発明の第１の実施の形態に係る前面カバーを本体から取り外すための冶具、および前面カバーを示す図である。
【図１６】図１６は、本発明の第１の実施の形態に係る前面カバーを本体から取り外す作業を説明するための図（その１）である。
【図１７】図１７は、本発明の第１の実施の形態に係る前面カバーを本体から取り外す作業を説明するための図（その２）である。
【図１８】図１８は、本発明の第１の実施の形態に係る前面カバーを本体から取り外す作業を説明するための図（その３）である。
【図１９】図１９は、本発明の第２の実施の形態に係る電子機器における本体および前面カバーの下側部分の構成を示す図である。
【図２０】図２０は、図１９に示す円Ａ３により囲まれた部分の拡大図である。
【図２１】図２１は、図２０に示すＸＸＩ−ＸＸＩ線に沿った断面を示す断面図である。
【図２２】図２２は、本発明の第２の実施の形態に係る前面カバーの本体に対する取り付け過程を説明するための図である。
【図２３】図２３は、本発明の第２の実施の形態に係る前面カバーを本体に取り付けた状態を示す図である。
【図２４】図２４は、本発明の第２の実施の形態に係る前面カバーが本体に取り付けられた状態を示す拡大図である。
【図２５】図２５は、本発明の第２の実施の形態に係る前面カバーを本体から取り外す状態を示す図（その１）である。
【図２６】図２６は、本発明の第２の実施の形態に係る前面カバーを本体から取り外す状態を示す図（その２）である。
【発明を実施するための形態】
【００１１】
最初に、本発明の実施形態の内容を列記して説明する。
【００１２】
（１）本発明の実施の形態に係る電子機器は、本体と、前記本体に取り付けられるべき前面カバーと、前記本体と前記前面カバーとの間をシールするシール部材とを備え、前記本体および前記前面カバーの少なくともいずれか一方は、上下方向における端部である対象端部に設けられた突起部を含み、前記突起部は、前記前面カバーが前記本体に取り付けられた状態において、自己が設けられていない前記本体または前記前面カバーと当接することにより、前記前面カバーが前記本体から離れる方向へ移動することを抑止する。
【００１３】
このような構成により、多くのネジを用いることなく、対象端部において、シール部材の圧縮を強化することができる。また、たとえば対象端部が作業者の手の届きにくい箇所でありネジ留めが困難な場合であっても、当該対象端部においてシール部材の圧縮を強化することができるため、前面カバーに対して補強用のリブなどを取り付けることなく、前面カバーに歪みが生じることを防ぐことができる。このため、前面カバーの軽量化を実現することができる。したがって、防塵性能および防水性能を確保しつつ、設置工事の作業性を向上させることができる。
【００１４】
（２）好ましくは、前記突起部は、Ｕ字型の形状を有する。
【００１５】
ここで、前面カバーが本体に取り付けられた状態において突起部と当接する部材である本体もしくは前面カバー、または当該突起部が弾性を有しているとする。この場合、突起部は、前面カバーを本体に取り付ける際、上記部材と接触しながら移動し、所定の位置に到達すると自己または上記部材が弾性力によって変形することにより、上記部材と当接する。
【００１６】
そして、上記のように突起部がＵ字型の形状を有する構成である場合、突起部は上記部材に対して点で接触しながら滑らかに移動することができる。このため、設置工事の作業性をより一層向上させることができる。
【００１７】
（３）好ましくは、前記前面カバーは、前記突起部を含む。
【００１８】
このように、前面カバーに突起部が設けられる構成により、比較的容易に突起部を形成することができる。
【００１９】
（４）好ましくは、前記本体および前記前面カバーは、前記突起部を含み、前記前面カバーには、前記前面カバーが前記本体に取り付けられた状態において、前記本体における前記突起部が嵌合可能な溝が形成されている。
【００２０】
このような構成により、突起部が溝に嵌合することで、前面カバーが本体から離れる方向へ移動することをより確実に抑止することができる。また、突起部が溝に嵌合することで、本体に対する前面カバーの左右方向における移動が制限されるため、左右方向においてシール部材が不均一に圧縮されることを防ぎ、防塵性能および防水性能をより強化することができる。
【００２１】
（５）より好ましくは、前記溝は、前記前面カバーにおける前記突起部の厚み部分に形成されており、前記前面カバーの前面側において傾斜を有する。
【００２２】
このような構成により、前面カバーを本体から取り外す場合、前面カバーを背面側、すなわち本体側へ押すことにより、突起部が、溝の傾斜部分と接触しながら前面カバーに対して前面側へ移動する。そして、突起部が溝の上端まで達すると、シール部材の弾性力により前面カバーが前面側へ押されるため、前面カバーを本体から取り外すことができる。したがって、前面カバーを本体から容易に取り外すことができる。
【００２３】
（６）好ましくは、前記電子機器は、さらに、複数の板状の部材が一体化した形状を有する冶具を備え、前記複数の板状の部材は、延在方向が互いに異なる。
【００２４】
このような構成により、前面カバーを本体から取り外す場合、冶具における複数の板状の部材のうちのいずれか１つを突起部に係合させた状態で冶具を動かすことにより、当該突起部を変形させることができる。すなわち、突起部を変形させることができるため、当該突起部と、当該突起部の設けられていない本体または前面カバーとの当接を解除して、前面カバーを本体から容易に取り外すことができる。
【００２５】
また、前面カバーを本体から取り外す際には専用の冶具が必要となるため、特定の作業者以外の者により前面カバーが取り外されることを防ぐことができる。
【００２６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２７】
＜第１の実施の形態＞
［全体構成］
図１は、本発明の第１の実施の形態に係る電子機器の構成を示す図である。
【００２８】
図１を参照して、電子機器１０１は、たとえば、太陽光発電または蓄電に用いられるＰＣＳであり、蓄電池、燃料電池または配電盤などの電源装置１２１に連結されている。具体的には、電子機器１０１は、省スペースでの設置を可能とするため、たとえば、電源装置１２１の上部に連結されている。
【００２９】
図２は、本発明の第１の実施の形態に係る電子機器の構成を示す分解図である。
【００３０】
図１および図２を参照して、電子機器１０１は、箱形状を有する本体１１と、本体１１の前面側に取り付けられる前面カバー１２と、本体１１と前面カバー１２との間をシールするシール部材１３と、本体１１の背面側に取り付けられた背面カバー１４と、１または複数のネジ４１とを備える。図２では、一例として、６つのネジ４１を示している。
【００３１】
以下、電子機器１０１における前面側を、単に「前面側」とも称する。また、電子機器１０１における背面側を、単に「背面側」とも称する。
【００３２】
本体１１は、内部において発生した熱を放熱するための図示しないヒートシンクを含む。たとえば、ヒートシンクは本体１１内部の背面側に設けられ、背面カバー１４は当該ヒートシンクを覆うように本体１１に取り付けられている。
【００３３】
また、本体１１は、さらに、上壁２１と、底壁２２と、第１の側壁２３と、第２の側壁２４と、前面側に設けられた嵌合部２５とを含む。嵌合部２５は、上壁２１、底壁２２、第１の側壁２３および第２の側壁２４により形成される四角形状の枠に沿って周回している。
【００３４】
図３は、図２に示すＩＩＩ−ＩＩＩ線に沿った断面を示す断面図である。図３では、粘着テープなどを介してシール部材１３が前面カバー１２に取り付けられた状態を示している。
【００３５】
図３を参照して、嵌合部２５は、第１の部分３１と、第２の部分３２と、第３の部分３３とを有する。第１の部分３１は、上記枠から当該枠の中央への方向に延びている。第２の部分３２は、第１の部分３１における当該枠の中央側の端部から、本体１１の前面側へ延びている。第３の部分３３は、第２の部分３２における前面側の端部から、当該枠の中央から離れる方向へ延びている。
【００３６】
前面カバー１２は、前壁３６と、前壁３６の外周から前面カバー１２における背面側へ延びた延在部３７とを有する。すなわち、延在部３７は、前壁３６の外周に沿って周回している。
【００３７】
なお、前面カバー１２における背面とは、前面カバー１２が本体１１に対して取り付けられた状態において、本体１１の前面と対向する面である。
【００３８】
再び図２を参照して、本体１１における嵌合部２５は、さらに、１または複数のネジ留め部３４と、１または複数のネジ留め部３５とを有する。ネジ留め部３４は、ネジ穴が形成されており、第１の側壁２３側に設けられている。ネジ留め部３５は、ネジ穴が形成されており、第２の側壁２４側に設けられている。図２では、一例として、３つのネジ留め部３４および３つのネジ留め部３５を示している。
【００３９】
また、前面カバー１２における延在部３７には、前面カバー１２が本体１１に取り付けられた状態における第１の側壁２３側に１または複数のネジ穴３８が形成されている。また、延在部３７には、前面カバー１２が本体１１に取り付けられた状態における第２の側壁２４側に、図示しない１または複数のネジ穴が形成されている。図２では、一例として、３つのネジ穴３８を示している。
【００４０】
作業者は、電子機器１０１の設置作業において、まず、前面カバー１２を本体１１から取り外した状態で、電子機器１０１と電源装置１２１との間のケーブルの配線等を行い、その後、前面カバー１２を本体１１に取り付ける。より詳細には、作業者は、本体１１における嵌合部２５が前面カバー１２における延在部３７の内側に位置するように、前面カバー１２を本体１１に当接させる。
【００４１】
このとき、本体１１における３つのネジ留め部３４の各々のネジ穴と、前面カバー１２における３つのネジ穴３８とがそれぞれ連通する。また、本体１１における３つのネジ留め部３５の各々のネジ穴と、前面カバー１２における第２の側壁２４側の３つのネジ穴とがそれぞれ連通する。
【００４２】
そして、作業者は、３組の、ネジ留め部３４およびネジ穴３８に対して、３つのネジ４１をそれぞれ締め付ける。また、作業者は、３組の、ネジ留め部３５および第２の側壁２４側のネジ穴に対して、３つのネジ４１をそれぞれ締め付ける。これにより、シール部材１３が本体１１と前面カバー１２との間で圧縮されるため、防塵性能および防水性能を確保することができる。
【００４３】
なお、電子機器１０１は、電源装置１２１の上部に連結されなくてもよく、たとえば、壁に取り付けられたり、床に置かれたりしてもよい。また、電子機器１０１は、ＰＣＳに限らず、蓄電池、燃料電池または配電盤などの機器であってもよい。
【００４４】
［課題の説明］
ここで、防塵性能および防水性能を確保するためにネジ４１を強く締め付ける場合、前面カバー１２の中央部分に歪みが生じる可能性がある。
【００４５】
すなわち、第１の側壁２３側を右側とし、第２の側壁２４側を左側とすると、前面カバー１２における右端および左端においてはネジ４１によりシール部材１３が強く圧縮されているのに対して、左右方向の中央付近においてはシール部材１３を圧縮する度合いが小さい。このため、前面カバー１２における左右方向の中央付近においては、シール部材１３の弾性力により前面カバー１２が本体１１から離れる方向へ歪む可能性がある。
【００４６】
そして、このように、前面カバー１２に歪みが生じる場合、前面カバー１２と本体１１との間に隙間ができるため、十分な防塵性能および防水性能を確保することができない。
【００４７】
そこで、前面カバー１２に歪みが生じることを防ぐため、たとえば、前面カバー１２に対して、左右方向に延びた部材である補強リブを取り付けることが考えられる。しかしながら、この場合、前面カバー１２の重量が増すため、設置工事の作業性が低下するという問題がある。
【００４８】
これに対して、本発明の第１の実施の形態に係る電子機器１０１は、以下のような構成により、防塵性能および防水性能を確保しつつ、設置工事の作業性を向上させることができる。
【００４９】
［上側部分の構成］
図４は、本発明の第１の実施の形態に係る電子機器における本体および前面カバーの上側部分の構成を示すための図である。図４では、前面カバー１２を本体１１に取り付ける前の状態を示している。図５は、図４に示す円Ａ１により囲まれた部分の拡大図である。図６は、図５に示すＶＩ−ＶＩ線に沿った断面を示す断面図である。
【００５０】
図４〜図６を参照して、本体１１は、さらに、電子機器１０１の設置状態における鉛直方向上側（以下、単に「上側」と称する。）の端部に設けられたＬ字部材２６を含む。
【００５１】
より詳細には、Ｌ字部材２６は、図５に示すように、嵌合部２５における第３の部分３３の上端の一部に、具体的には左右方向の中央付近に連結されている。また、Ｌ字部材２６は、第３の部分３３の上端から上方向へ延びた前面側部材２７と、前面側部材２７の上端から上壁２１へ向けて延びた上面側部材２８とを有する。図６に示すように、上面側部材２８と上壁２１との間には、隙間が設けられている。
【００５２】
前面カバー１２は、さらに、延在部３７における上端の一部に、具体的には左右方向の中央付近に連結された差込部３９を含む。差込部３９は、図５に示すように、電子機器１０１の設置状態における鉛直方向下側（以下、単に「下側」と称する。）へ延びている。
【００５３】
図７は、本発明の第１の実施の形態に係る前面カバーの本体に対する取り付け過程を説明するための図である。図８は、本発明の第１の実施の形態に係る前面カバーを本体に取り付けた状態を示す図である。
【００５４】
図７および図８を参照して、作業者は、前面カバー１２を本体１１に取り付ける場合、図７に示すように、前面カバー１２における差込部３９を、上面側部材２８と上壁２１との間の隙間に差し込む。そして、作業者は、図７の矢印Ｂ１に示すように、前面カバー１２を本体１１側へ押すことにより、前面カバー１２と本体１１との間に設けられたシール部材１３を圧縮する。これにより、図８に示すように、差込部３９がＬ字部材２６に当接した状態で、前面カバー１２が本体１１に取り付けられる。
【００５５】
このような構成により、前面カバー１２の上側部分が差込部３９により補強されるため、前面カバー１２に歪みが生じることを防ぎ、より確実に防塵および防水を行うことができる。また、本体１１に対する前面カバー１２の位置決めを容易に行うことができる。
【００５６】
なお、本体１１におけるＬ字部材２６は、本体１１の左右方向全体に亘って設けられてもよいし、本体１１の左右方向の中央付近を含む複数の位置に設けられてもよい。この場合、前面カバー１２における差込部３９は、前面カバー１２が本体１１に取り付けられた状態において、本体１１におけるＬ字部材２６に係合する位置に設けられる。
【００５７】
［下側部分の構成］
図９は、本発明の第１の実施の形態に係る電子機器における本体および前面カバーの下側部分の構成を示すための図である。図９では、前面カバー１２を本体１１に取り付ける前の状態を示している。図１０は、図９に示す円Ａ２により囲まれた部分の拡大図である。図１１は、図１０に示すＸＩ−ＸＩ線に沿った断面を示す断面図である。
【００５８】
図９〜図１１を参照して、本体１１は、さらに、上下方向における端部である対象端部に設けられた第１の突起部５１を含む。ここでは、対象端部は、本体１１における下側の端部であるとする。
【００５９】
より詳細には、第１の突起部５１は、図１０に示すように、嵌合部２５における第３の部分３３の下端の一部に、具体的には左右方向の中央付近に連結されている。また、第１の突起部５１は、たとえば下向きに突出したＵ字形状を有する。図１１に示すように、第１の突起部５１と電源装置１２１との間には、隙間が設けられている。
【００６０】
前面カバー１２は、さらに、延在部３７における下端の一部に、具体的には左右方向の中央付近に連結された、弾性を有する第２の突起部５２を含む。第２の突起部５２は、たとえばプレス加工により形成されている。
【００６１】
また、前面カバー１２には、図１０に示すように、第２の突起部５２と前壁３６との間に溝５３が形成されている。溝５３には、前面カバー１２が本体１１に取り付けられた状態において、第１の突起部５１が嵌合可能である。
【００６２】
第２の突起部５２は、図１０に示すように、上向きに突出したＵ字形状を有し、かつ図１１に示すように、前面カバー１２の背面側から前面側へ向かうに従って上方向へ延びる傾斜を有している。
【００６３】
なお、第１の突起部５１および第２の突起部５２の少なくともいずれか一方は、Ｕ字形状を有する構成に限らず、上下方向に沿って突出した形状であればよい。
【００６４】
また、第１の突起部５１は、本体１１の左右方向全体に亘って設けられてもよいし、本体１１の左右方向の中央付近を含む複数の位置に設けられてもよい。この場合、第２の突起部５２は、前面カバー１２が本体１１に取り付けられた状態において、第１の突起部５１に係合する位置に設けられる。
【００６５】
［前面カバーの取り付け］
図１２は、本発明の第１の実施の形態に係る前面カバーの本体に対する取り付け過程を説明するための図である。図１３は、本発明の第１の実施の形態に係る前面カバーを本体に取り付けた状態を示す図である。
【００６６】
図１２および図１３を参照して、作業者は、前面カバー１２を本体１１に取り付ける場合、図８に示す方向に差込部３９をＬ字部材２６に係合させた後、図１２の矢印Ｂ２に示すように、第２の突起部５２を第１の突起部５１と電源装置１２１との間の隙間に差し込む。そして、作業者は、前面カバー１２を本体１１側へ徐々に押すことにより、前面カバー１２と本体１１との間に設けられたシール部材１３を圧縮する。
【００６７】
このとき、第１の突起部５１は、上述のとおりＵ字形状を有するため、第２の突起部５２に対して点で接触しながら第２の突起部５２の上面を滑らかに移動する。
【００６８】
第２の突起部５２は、第１の突起部５１からの押圧を受けることにより、図１２の矢印Ｂ３に示すように変形する。そして、第２の突起部５２は、図１３に示すように、第１の突起部５１が溝５３まで到達すると、自己の弾性力により元の形状に戻る。
【００６９】
図１４は、本発明の第１の実施の形態に係る前面カバーが本体に取り付けられた状態を示す拡大図である。図１４では、本体１１における第１の突起部５１、ならびに前面カバー１２における第２の突起部５２および溝５３を示すため、本体１１の一部および前面カバー１２の一部を示していない。
【００７０】
図１３および図１４を参照して、第１の突起部５１は、前面カバー１２が本体１１に取り付けられた状態において、第２の突起部５２における前面側の端部に当接するため、背面側への移動が抑止される。これにより、シール部材１３が強く圧縮されていても、前面カバー１２が本体１１から離れる方向へ押し戻されて移動することを抑止することができるため、長期間にわたって防塵性能および防水性能を確保することができる。
【００７１】
なお、前面カバー１２には、溝５３が形成されていなくてもよい。しかしながら、前面カバー１２に溝５３が形成されている構成では、第１の突起部５１が溝５３に嵌合することにより、前面カバー１２が本体１１から離れる方向へ移動することをより確実に抑止することができるため、好ましい。
【００７２】
また、第１の突起部５１が溝５３に嵌合することにより、本体１１に対する前面カバー１２の左右方向における移動が制限される。このため、左右方向においてシール部材１３が不均一に圧縮されることを防ぎ、十分な防塵性能および防水性能を確保することができる。
【００７３】
［取り外し用の冶具］
図１５は、本発明の第１の実施の形態に係る前面カバーを本体から取り外すための冶具、および前面カバーを示す図である。図１５では、前面カバー１２における第２の突起部５２および溝５３を示すため、前面カバー１２の一部を示していない。
【００７４】
図１５を参照して、電子機器１０１は、さらに、前面カバー１２を本体１１から取り外すための冶具６１を備える。冶具６１は、第１の板部７１と、第１の板部７１に連結された第２の板部７２と、第１の板部７１に連結された第３の板部７３とを含む。
【００７５】
第１の板部７１、第２の板部７２および第３の板部７３は、延在方向が互いに異なる。また、第２の板部７２および第３の板部７３は、第１の板部７１の主表面に対する垂直方向を上下方向とすると、各々の主表面が上下方向において第１の板部７１の主表面と異なる位置に設けられている。図１５では、一例として、第２の板部７２および第３の板部７３の各々の主表面が、第１の板部７１の主表面よりも上側に位置している。
【００７６】
また、第１の板部７１、第２の板部７２および第３の板部７３は、各々の主表面が互いに平行である。
【００７７】
［前面カバーの取り外し］
図１６は、本発明の第１の実施の形態に係る前面カバーを本体から取り外す作業を説明するための図（その１）である。図１７は、本発明の第１の実施の形態に係る前面カバーを本体から取り外す作業を説明するための図（その２）である。図１８は、本発明の第１の実施の形態に係る前面カバーを本体から取り外す作業を説明するための図（その３）である。
【００７８】
図１６〜図１８では、前面カバー１２における第２の突起部５２および溝５３を示すため、前面カバー１２の一部、本体１１および電源装置１２１を示していない。
【００７９】
図１６〜図１８を参照して、作業者は、前面カバー１２を本体１１から取り外す場合、図１３に示す前面カバー１２と電源装置１２１との隙間から、図１６に示す矢印Ｂ４に示す方向に冶具６１を挿入する。このとき、作業者は、第２の板部７２および第３の板部７３が、第２の突起部５２よりも背面側へ位置するまで、冶具６１を挿入する。
【００８０】
そして、作業者は、図１７の矢印Ｂ５に示す方向に、たとえば、冶具６１を右側、すなわち図１に示す第１の側壁２３側へ移動させる。そして、作業者は、矢印Ｂ６に示すように、冶具６１を回転させることにより、第３の板部７３を第２の突起部５２に係合させる。
【００８１】
そして、作業者は、第３の板部７３を第２の突起部５２に係合させた状態で、図１８の矢印Ｂ７に示す方向に、冶具６１を第２の突起部５２における左右方向の中央付近まで移動させ、さらに、矢印Ｂ８に示す方向に、冶具６１を前面側へ引く。これにより、上向きに突出していた第２の突起部５２は、第３の板部７３による下向きの力が中央付近に加わることにより、下向きに突出した形状に変形する。
【００８２】
第１の突起部５１は、第２の突起部５２が下向きに突出した形状に変形することにより、第２の突起部５２と離れ、シール部材１３の弾性力により背面側へ押し戻される。これにより、前面カバー１２が本体１１から取り外される。
【００８３】
なお、図１７および図１８では、冶具６１を挿入した後に右側へ移動させ、第３の板部７３を第２の突起部５２に係合させる方法について説明したが、このような方法に限らない。たとえば、冶具６１を挿入した後に左側へ移動させ、第２の板部７２を第２の突起部５２に係合させてもよい。
【００８４】
また、冶具６１は、上述のような構成に限らず、延在方向が互いに異なる複数の板状の部材が一体化した形状を有していればよい。たとえば、冶具６１は、第２の板部７２または第３の板部７３を含まない構成であってもよい。
【００８５】
［変形例１］
なお、上述した電子機器１０１では、前面カバー１２における第２の突起部５２が弾性を有し、前面カバー１２を本体１１に取り付ける際、第２の突起部５２が第１の突起部５１からの押圧を受けて変形する。しかしながら、電子機器１０１は、このような構成に限定されない。
【００８６】
たとえば、本体１１における第１の突起部５１が弾性を有し、前面カバー１２を本体１１に取り付ける際、第１の突起部５１が第２の突起部５２からの押圧を受けて変形する構成であってもよい。この場合、第１の突起部５１は、たとえば、下向きに突出したＵ字形状を有し、かつ本体１１の前面側から背面側へ向かうに従って下方向へ延びる傾斜を有している。
【００８７】
また、この場合、本体１１は、第１の突起部５１よりも背面側において、第２の突起部５２が嵌合可能な溝が形成されている構成が好ましい。
【００８８】
［変形例２］
電子機器１０１は、第１の突起部５１または第２の突起部５２を含まない構成であってもよい。すなわち、電子機器１０１は、本体１１および前面カバー１２の少なくともいずれか一方に突起部が設けられ、前面カバー１２が本体１１に取り付けられた状態において、当該突起部と、当該突起部が設けられていない本体１１または前面カバー１２とが当接することにより、前面カバー１２が本体１１から離れる方向へ移動することが抑止される構成であればよい。
【００８９】
たとえば、電子機器１０１は、第１の突起部５１を含む代わりに、前面カバー１２が本体１１に取り付けられた状態において、第２の突起部５２と当接することにより前面カバー１２の移動を抑止することが可能な平板などを含む構成であってもよい。
【００９０】
［変形例３］
本体１１において第１の突起部５１が設けられている対象端部は、電子機器１０１の上端であってもよい。この場合、第１の突起部５１は、たとえば、上向きに突出したＵ字形状を有する。
【００９１】
また、この場合、第２の突起部５２は、前面カバー１２が本体１１に取り付けられた状態において第１の突起部５１と当接する位置、すなわち前面カバー１２の上端に設けられる。また、第２の突起部５２は、たとえば、下向きに突出したＵ字形状を有し、かつ前面カバー１２の背面側から前面側へ向かうに従って下方向へ延びる傾斜を有している。
【００９２】
また、たとえば、図５に示すＬ字部材２６は本体１１における下端に設けられ、差込部３９は前面カバー１２における下端に設けられる。
【００９３】
［変形例４］
上述の対象端部が電子機器１０１の上端である場合において、第１の突起部５１が弾性を有し、前面カバー１２を本体１１に取り付ける際、第１の突起部５１が第２の突起部５２からの押圧を受けて変形する構成であってもよい。この場合、第１の突起部５１は、たとえば、上向きに突出したＵ字形状を有し、かつ本体１１の前面側から背面側へ向かうに従って上方向へ延びる傾斜を有している。
【００９４】
また、この場合、本体１１は、第１の突起部５１よりも背面側において、第２の突起部５２が嵌合可能な溝が形成されている構成が好ましい。
【００９５】
また、上述の対象端部が電子機器１０１の上端である場合において、電子機器１０１は、変形例２と同様に、第１の突起部５１または第２の突起部５２を含まない構成であってもよい。
【００９６】
ところで、ＰＣＳ等の電子機器の設置工事では、たとえば、ケーブルの配線作業のために本体の前面カバーを取り外し、作業後に本体に対して前面カバーを取り付ける。また、電子機器は、屋外に設置されることがあり、本体内部に設けられている電子部品の保護のために十分な防塵性能および防水性能が求められるため、前面カバーと本体との間にシール部材が設けられている。
【００９７】
また、電子機器では、防塵性能および防水性能を高めるため、シール部材を介して本体に対して前面カバーを固定するためのネジの本数を増やすことが考えられる。しかしながら、この場合、ネジの本数の増加により設置工事の作業性が低下するという問題がある。
【００９８】
また、多くのネジを用いることなく、かつ防塵性能および防水性能を確保するために、ネジの締め付けを強化する場合、前面カバーにおけるネジ留めされていない部分、たとえば前面カバーの上下方向における端部が、シール部材の弾性力により歪む可能性がある。そこで、前面カバーの厚みを増やしたり、前面カバーに対して補強用のリブを取り付けたりすることが考えられる。しかしながら、この場合、前面カバーの重量が増すため、依然として設置工事の作業性が低下するという問題がある。
【００９９】
これに対して、本発明の第１の実施の形態に係る電子機器１０１は、本体１１と、本体１１に取り付けられるべき前面カバー１２と、本体１１と前面カバー１２との間をシールするシール部材１３とを備える。本体１１および前面カバー１２の少なくともいずれか一方は、上下方向における端部である対象端部に設けられた突起部を含む。突起部は、前面カバー１２が本体１１に取り付けられた状態において、自己が設けられていない本体１１または前面カバー１２と当接することにより、前面カバー１２が本体１１から離れる方向へ移動することを抑止する。
【０１００】
このような構成により、多くのネジを用いることなく、対象端部において、シール部材１３の圧縮を強化することができる。また、たとえば対象端部が作業者の手の届きにくい箇所でありネジ留めが困難な場合であっても、当該対象端部においてシール部材１３の圧縮を強化することができるため、前面カバー１２に対して補強用のリブなどを取り付けることなく、前面カバー１２に歪みが生じることを防ぐことができる。このため、前面カバー１２の軽量化を実現することができる。したがって、防塵性能および防水性能を確保しつつ、設置工事の作業性を向上させることができる。
【０１０１】
また、本発明の第１の実施の形態に係る電子機器１０１では、突起部は、Ｕ字型の形状を有する。
【０１０２】
ここで、前面カバー１２が本体１１に取り付けられた状態において第１の突起部５１と当接する第２の突起部５２が弾性を有しているとする。この場合、本体１１に設けられた第１の突起部５１は、前面カバー１２を本体１１に取り付ける際、第２の突起部５２と接触しながら移動し、所定の位置に到達すると第２の突起部５２が弾性力によって変形することにより、第２の突起部５２と当接する。
【０１０３】
そして、上記のように、第１の突起部５１および第２の突起部５２の少なくともいずれか一方がＵ字型の形状を有する構成である場合、第１の突起部５１は第２の突起部５２に対して点で接触しながら滑らかに移動することができる。このため、設置工事の作業性をより一層向上させることができる。
【０１０４】
また、本発明の第１の実施の形態に係る電子機器１０１では、前面カバー１２は、上記突起部として第２の突起部５２を含む。
【０１０５】
このように、前面カバー１２に第２の突起部５２が設けられる構成により、比較的容易に上記突起部を形成することができる。
【０１０６】
また、本発明の第１の実施の形態に係る電子機器１０１では、本体１１は、上記突起部として第１の突起部５１を含む。前面カバー１２は、上記突起部として第２の突起部５２を含む。また、前面カバー１２には、前面カバー１２が本体１１に取り付けられた状態において、本体１１における第１の突起部５１が嵌合可能な溝５３が形成されている。
【０１０７】
このような構成により、第１の突起部５１が溝５３に嵌合することで、前面カバー１２が本体１１から離れる方向へ移動することをより確実に抑止することができる。また、第１の突起部５１が溝５３に嵌合することで、本体１１に対する前面カバー１２の左右方向における移動が制限されるため、左右方向においてシール部材１３が不均一に圧縮されることを防ぎ、防塵性能および防水性能をより強化することができる。
【０１０８】
また、本発明の第１の実施の形態に係る電子機器１０１では、冶具６１は、複数の板状の部材、すなわち第１の板部７１、第２の板部７２および第３の板部７３が一体化した形状を有する。第１の板部７１、第２の板部７２および第３の板部７３は、延在方向が互いに異なる。
【０１０９】
このような構成により、前面カバー１２を本体１１から取り外す場合、冶具６１における第１の板部７１、第２の板部７２および第３の板部７３のうちのいずれか１つを第２の突起部５２に係合させた状態で冶具６１を動かすことにより、第２の突起部５２を変形させることができる。すなわち、第２の突起部５２を変形させることができるため、第２の突起部５２と第１の突起部５１との当接を解除して、前面カバー１２を本体１１から容易に取り外すことができる。
【０１１０】
また、前面カバー１２を本体１１から取り外す際には冶具６１が必要となるため、特定の作業者以外の者により前面カバー１２が取り外されることを防ぐことができる。
【０１１１】
次に、本発明の他の実施の形態について図面を用いて説明する。なお、図中同一または相当部分には同一符号を付してその説明は繰り返さない。
【０１１２】
＜第２の実施の形態＞
上述の第１の実施の形態では、冶具６１を用いることにより、前面カバー１２を本体１１から取り外し可能である。これに対して、第２の実施の形態では、冶具を用いることなく前面カバー１２を本体１１から取り外し可能である。
【０１１３】
図１９は、本発明の第２の実施の形態に係る電子機器における本体および前面カバーの下側部分の構成を示す図である。図２０は、図１９に示す円Ａ３により囲まれた部分の拡大図である。図２１は、図２０に示すＸＸＩ−ＸＸＩ線に沿った断面を示す断面図である。図２０では、前面カバー１２における第２の突起部８２の構成を示すため、前面カバー１２の一部を示していない。
【０１１４】
図１９〜図２１を参照して、本発明の第２の実施の形態に係る電子機器１０２では、前面カバー１２は、図１０に示す第２の突起部５２の代わりに、第２の突起部８２を含む。第２の突起部８２は、図１０に示す第２の突起部５２と同様の構成であるＵ字部材８３と、Ｕ字部材８３における左右方向の中央付近に設けられた嵌合部８４とを有する。
【０１１５】
嵌合部８４には、厚み部分において下向きに窪む溝８５が形成されている。溝８５は、前面カバー１２の前面側において傾斜を有する。より詳細には、溝８５における当該傾斜は、前面カバー１２の背面側から前面側に向かうに従って上方向へ延びている。
【０１１６】
［前面カバーの取り付け］
図２２は、本発明の第２の実施の形態に係る前面カバーの本体に対する取り付け過程を説明するための図である。図２３は、本発明の第２の実施の形態に係る前面カバーを本体に取り付けた状態を示す図である。
【０１１７】
図２２および図２３を参照して、作業者は、前面カバー１２を本体１１に取り付ける場合、図２２の矢印Ｂ９に示す方向に、前面カバー１２における第２の突起部８２を、第１の突起部５１と電源装置１２１との間の隙間に差し込む。そして、作業者は、前面カバー１２を本体１１側へ徐々に押すことにより、前面カバー１２と本体１１との間に設けられたシール部材１３を圧縮する。
【０１１８】
このとき、第１の突起部５１は、上述のとおりＵ字形状を有するため、第２の突起部８２におけるＵ字部材８３に対して点で接触しながら、Ｕ字部材８３の上面を滑らかに移動する。
【０１１９】
Ｕ字部材８３は、第１の突起部５１からの押圧を受けることにより、図２２の矢印Ｂ１０に示す方向に変形し、第１の突起部５１が溝８５まで到達すると、図２３に示すように自己の弾性力により元の形状に戻る。
【０１２０】
図２４は、本発明の第２の実施の形態に係る前面カバーが本体に取り付けられた状態を示す拡大図である。図２４では、本体１１における第１の突起部５１および前面カバー１２における第２の突起部８２を示すため、本体１１の一部および前面カバー１２の一部を示していない。
【０１２１】
図２４を参照して、第１の突起部５１は、前面カバー１２が本体１１に取り付けられた状態において、第２の突起部８２における溝８５に嵌合するため、背面側への移動が抑止される。これにより、シール部材１３が強く圧縮されていても、前面カバー１２が本体１１から離れる方向へ押し戻されて移動することを抑止することができるため、長期間にわたって防塵性能および防水性能を確保することができる。
【０１２２】
［前面カバーの取り外し］
図２５は、本発明の第２の実施の形態に係る前面カバーを本体から取り外す状態を示す図（その１）である。図２６は、本発明の第２の実施の形態に係る前面カバーを本体から取り外す状態を示す図（その２）である。
【０１２３】
図２５および図２６を参照して、作業者は、前面カバー１２を本体１１から取り外す場合、前面カバー１２を図２５の矢印Ｂ１１の方向、すなわち本体１１側へ押す。このとき、本体１１における第１の突起部５１は、前面カバー１２における溝８５の前面側の傾斜に対して点で接触しながら、前面カバー１２における前壁３６に近づくように前面カバー１２に対して移動する。
【０１２４】
第２の突起部８２は、溝８５の前面側の傾斜が第１の突起部５１からの押圧を受けることにより、図２５の矢印Ｂ１２に示す方向に変形する。そして、前面カバー１２は、第１の突起部５１が溝８５の上端まで達すると、シール部材１３の弾性力により前面側へ押されることにより、図２６の矢印Ｂ１３に示す方向に移動して、本体１１から取り外される。
【０１２５】
その他の構成は、上述した電子機器１０１と同様であるため、ここでは詳細な説明を繰り返さない。
【０１２６】
このように、本発明の第２の実施の形態に係る電子機器１０２では、前面カバー１２に形成された溝８５は、前面カバー１２における第２の突起部８２の厚み部分に形成されており、前面カバー１２の前面側において傾斜を有する。
【０１２７】
このような構成により、前面カバー１２を本体１１から取り外す場合、前面カバー１２を背面側、すなわち本体１１側へ押すことにより、第１の突起部５１が、溝８５の傾斜部分と接触しながら前面カバー１２に対して前面側へ移動する。そして、第１の突起部５１が溝８５の上端まで達すると、シール部材１３の弾性力により前面カバー１２が前面側へ押されるため、前面カバー１２を本体１１から取り外すことができる。したがって、前面カバー１２を本体１１から容易に取り外すことができる。
【０１２８】
なお、本発明の第１の実施の形態および第２の実施の形態に係る電子機器１０１，１０２の各々の特徴を適宜組み合わせることも可能である。
【０１２９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１３０】
以上の説明は、以下に付記する特徴を含む。
【０１３１】
［付記１］
本体と、
前記本体に取り付けられるべき前面カバーと、
前記本体と前記前面カバーとの間をシールするシール部材とを備える電子機器であって、
前記本体および前記前面カバーの少なくともいずれか一方は、上下方向における端部である対象端部に設けられた突起部を含み、
前記突起部は、前記前面カバーが前記本体に取り付けられた状態において、自己が設けられていない前記本体または前記前面カバーと当接することにより、前記前面カバーが前記本体から離れる方向へ移動することを抑止し、
前記電子機器は、電源装置の上部に連結された、太陽光発電または蓄電に用いられるＰＣＳ（Ｐｏｗｅｒ  Ｃｏｎｄｉｔｉｏｎｉｎｇ  Ｓｙｓｔｅｍ）であり、
前記本体は、前記突起部として、前記本体の下端に設けられた第１の突起部を含み、
前記前面カバーは、前記突起部として、前記前面カバーの下端に設けられた第２の突起部を含み、
前記第２の突起部は、弾性を有し、前記前面カバーが前記本体に取り付けられる際、前記第１の突起部からの押圧を受けて変形し、前記第１の突起部が所定の位置に到達すると、自己の弾性力によって変形することにより前記第１の突起部と当接する、電子機器。
【符号の説明】
【０１３２】
１１  本体
１２  前面カバー
１３  シール部材
１４  背面カバー
２１  上壁
２２  底壁
２３  第１の側壁
２４  第２の側壁
２５  嵌合部
２６  Ｌ字部材
３１  第１の部分
３２  第２の部分
３３  第３の部分
３４，３５  ネジ留め部
３６  前壁
３７  延在部
３８  ネジ穴
３９  差込部
４１  ネジ
５１  第１の突起部
５２，８２  第２の突起部
５３，８５  溝
６１  冶具
７１  第１の板部
７２  第２の板部
７３  第３の板部
８３  Ｕ字部材
８４  嵌合部
１０１，１０２  電子機器
１２１  電源装置
【図１】
2019102516.tif 000003
【図２】
2019102516.tif 000004
【図３】
2019102516.tif 000005
【図４】
2019102516.tif 000006
【図５】
2019102516.tif 000007
【図６】
2019102516.tif 000008
【図７】
2019102516.tif 000009
【図８】
2019102516.tif 000010
【図９】
2019102516.tif 000011
【図１０】
2019102516.tif 000012
【図１１】
2019102516.tif 000013
【図１２】
2019102516.tif 000014
【図１３】
2019102516.tif 000015
【図１４】
2019102516.tif 000016
【図１５】
2019102516.tif 000017
【図１６】
2019102516.tif 000018
【図１７】
2019102516.tif 000019
【図１８】
2019102516.tif 000020
【図１９】
2019102516.tif 000021
【図２０】
2019102516.tif 000022
【図２１】
2019102516.tif 000023
【図２２】
2019102516.tif 000024
【図２３】
2019102516.tif 000025
【図２４】
2019102516.tif 000026
【図２５】
2019102516.tif 000027
【図２６】
2019102516.tif 000028